(57)【要約】  【課題】衛生用品に抗酸化機能をもたせて、人体に装着された状態での衛生状態を向上できるようにする。  【解決手段】本発明にあっては基本的に、衛生用品に、水（水分）と反応して水素を発生する水素生成物質を含ませるようにしてある。すなわち、人体からの分泌物中や排泄物中の水分が衛生用品に触れた際に発生される水素によって、抗酸化機能を得るようにしてある。衛生用品としては、パッド部を有する場合は、このパッド部に水素生成物質を含ませることができ、例えば救急絆創膏１、おむつ（おしめ）６、汗脇シート１０、汗取りパット１５（１５Ｂ、１５Ｃ）、生理用ナプキン２０、生理用タンポン２５、２５Ｂ、２５Ｃ、口鼻マスク３０、フェイスマスク３５等がある。パッド部の内部や背面に、水素生成物質が練り込まれたシートを配設することもできる。【選択図】  図１
2015167840.tif 000002
【特許請求の範囲】
【請求項１】
人体に装着される衛生用品であって、
人体に装着された状態で、人体からの分泌物あるいは排出物と接触することにより該分泌物あるいは排出物中に含まれる水分と反応して水素ガスを発生させるための水素生成物質を含有している、
ことを特徴とする衛生用品。
【請求項２】
請求項１において、
人体に装着された状態で、人体と接触されると共に液体吸収機能を有するパッド部を有し、
前記パッド部に、前記水素生成物質が含有されている、
ことを特徴とする衛生用品。
【請求項３】
請求項１または請求項２において、
人体に装着された状態で、人体からの分泌物あるいは排泄物と接触されるパッド部を有し、
前記パッド部の内部あるいは背面に、水素生成物質が練り込まれた水素発生用シートが配置されている、
ことを特徴とする衛生用品。
【請求項４】
請求項２において、
前記パッド部が体表面への接着部を有するテープ部に一体化された救急絆創膏とされている、ことを特徴とする衛生用品。
【請求項５】
請求項２において、
前記パッド部が口鼻を覆うように薄くされると共に左右一対の耳掛けひもが装着された口鼻用マスクとされている、ことを特徴とする衛生用品。
【請求項６】
請求項２において、
前記パッド部により経血吸収を行う生理用ナプキンまたは生理用タンポンとされている、ことを特徴とする衛生用品。
【請求項７】
請求項２において、
前記パッド部がおしりから股間に渡って配設されるおむつとされている、ことを特徴とする衛生用品。
【請求項８】
請求項２において、
前記パッド部が汗を通過させないシートの一面側に一体化されて、脇下に装着される汗脇パットとされている、ことを特徴とする衛生用品。
【請求項９】
請求項２において、
前記パッド部が下着と体表面との間に装着される汗取りパットとされている、ことを特徴とする衛生用品。
【請求項１０】
請求項１ないし請求項３のいずれか１項において、
前記パッド部が全体的に薄く形成されると共に目と口の部分に対応した位置に開口部を有して、水分が吸収された状態で目と口を除く顔面のほぼ全面を覆うように装着されるフェイスマスクとされている、ことを特徴とする衛生用品。
【請求項１１】
請求項１ないし請求項１０のいずれか１項において、
前記水素生成物質が、ミネラル物質と混在されたものを焼成してなるセラミックからなる微粉末状とされている、ことを特徴とする衛生用品。
【請求項１２】
請求項１１において、
前記水素生成物質が、金属マグネシウムとされ、
前記ミネラル物質がカルシウムとされている、
ことを特徴とする衛生用品。
【発明の詳細な説明】
【技術分野】
【０００１】
本発明は、特に抗酸化機能を有するようにした人体に装着される衛生用品に関するものである。
【背景技術】
【０００２】
人体に装着される衛生用品として種々のものがあり、例えば、救急絆創膏、おしめ（おむつ）、口鼻マスク、生理用品、汗脇パット等多々存在する。このような衛生用品は、体表面等に直接接触されるため、不潔になりやすいものである。
【０００３】
一方、近時、健康の維持、増進等の観点から水素水が注目されている。このため、水素水を容器内に充填した状態で販売することも行われている。また、還元水素（Ｈ-）を含む還元水素水が各種分野において注目されてきており、例えば、酸化防止、洗浄作用、化粧作用、皮膚病などの予防や治癒作用等においての利用が考えられている。また、還元水素水を飲用することにより、体内の活性酸素を低減させる作用も期待されている。
【０００４】
還元水素（Ｈ-）を含む還元水素水は、特許文献１〜特許文献３に記載のように、水に対して金属マグネシウム等の水素反応物質を反応させることによって、電気分解装置等を利用しなくとも簡単に生成することが可能である。すなわち、例えば水と金属マグネシウムとの反応により水酸化マグネシウムと水素ガスに変化する過程において、還元水素が発生されることになる。そして、特許文献４には、還元水素水を手軽に利用できるように、マグネシウム粉末が充填された透水性の棒状カートリッジを、水が充填されたペットボトル等の容器内に入れるようにしたものが開示されている。
【先行技術文献】
【特許文献】
【０００５】
【特許文献１】特開２００４−３３００２８号公報
【特許文献２】特開２００３−１０８６５号公報
【特許文献３】特開２００３−２４９５６号公報
【発明の概要】
【発明が解決しようとする課題】
【０００６】
上述したように、人体に装着される衛生用品は、人体からの汗や体液等の分泌物や排泄物に直接触れることから、不潔になりやすいものである。従来は、吸水性のパッド等により分泌物等を吸収するようにしているが、排泄物の場合は特にアンモニア臭が問題となり、また分泌物等で汚染されたままの状態が続く場合も臭いが問題となってくる。このような不潔や臭いの大きな原因の一つとして、分泌物等が酸化されることに起因することがある。このため、吸収パッドに芳香剤を混入させる等して臭いをまぎらわすことも考えられるが、根本的な解決にはならない。
【０００７】
本発明は以上のような事情を勘案してなされたもので、その目的は、衛生用品に抗酸化機能をもたせて、人体に装着された状態での衛生状態を向上できるようにした衛生用品を提供することにある。
【課題を解決するための手段】
【０００８】
前記目的を達成するため、本発明にあっては基本的に、衛生用品に、水（水分）と反応して水素を発生する水素生成物質を含ませるようにしてある。すなわち、人体からの分泌物中や排泄物中の水分が衛生用品に触れた際に、水素が発生されるようにして、この水素によって抗酸化機能を得るようにしてある。
【０００９】
具体的には、本発明にあっては次のような解決手法を採択してある。すなわち、請求項１に記載のように、
人体に装着される衛生用品であって、
人体に装着された状態で、人体からの分泌物あるいは排出物と接触することにより該分泌物あるいは排出物中に含まれる水分と反応して水素ガスを発生させるための水素生成物質を含有している、
ようにしてある。上記解決手法によれば、人体からの分泌物中や排泄物中の水分が、衛生用品の水素生成物質に触れた際に水素が発生されて、この発生された水素によって抗酸化機能が得られることとなって、衛生状態が向上されることになる。
【００１０】
上記解決手法を前提とした好ましい態様は、特許請求の範囲における請求項２以下に記載のとおりである。すなわち、
人体に装着された状態で、人体と接触されると共に液体吸収機能を有するパッド部を有し、
前記パッド部に、前記水素生成物質が含有されている、
ようにしてある（請求項２対応）。この場合、既存の液体吸収物となるパッド部に水素生成物質を含有させるという簡単な構成により、水素生成物質を容易に組み込むことができる。
【００１１】
人体に装着された状態で、人体からの分泌物あるいは排泄物と接触されるパッド部を有し、
前記パッド部の内部あるいは背面に、水素生成物質が練り込まれた水素発生用シートが配置されている、
ようにしてある（請求項３対応）。この場合、水素生成物質が練り込まれたシートをパッド部に組み込むという手法により、既存のパッド部の組成や感触を実質的に変更することなく水素生成物質を組み込むことができる。
【００１２】
前記パッド部が体表面への接着部を有するテープ部に一体化された救急絆創膏とされている、ようにしてある（請求項４対応）。この場合、特に、傷口において好中菌やマクロファジーが活性酸素を放出してそれが過剰となって傷口が悪化（化膿）されるが、水素生成物質によって発生される水素によって活性酸素が水に変換されて、傷の悪化を防止あるいは低減する上で好ましいものとなる。
【００１３】
前記パッド部が口鼻を覆うように薄くされると共に左右一対の耳掛けひもが装着された口鼻用マスクとされている、ようにしてある（請求項５対応）。この場合、唾液や呼気中の分泌物が口鼻マスクに付着されて不潔となり、また臭いの原因ともなるが、水素生成物質が唾液中の水分や呼気中の水分と反応して発生される水素による抗酸化機能によって、衛生状態を向上させることができる（特に臭いが防止あるいは低減される）。また、口、鼻を覆うようにして使用されることから、吸気の際に水素（あるいは還元水素水）を体内に取り込んで、体内での抗酸化という点でも好ましいものとなる。
【００１４】
前記パッド部により経血吸収を行う生理用ナプキンまたは生理用タンポンとされている、ようにしてある（請求項６対応）。この場合、経血は酸化されて臭いの原因となるが、水素生成物質が経血中の水分と反応して発生される水素による抗酸化機能によって、臭いを防止あるいは低減することができる。
【００１５】
前記パッド部がおしりから股間に渡って配設されるおむつとされている、ようにしてある（請求項７対応）。この場合、おむつに付着される排泄物が酸化されたときの臭い（アンモニア臭）はかなりひどいものであるが、水素生成物質が排泄物中の水分と反応して発生される水素による抗酸化機能によって、アンモニアに分解される工程を阻害して、臭いを低減することができる。
【００１６】
前記パッド部が汗を通過させないシートの一面側に一体化されて、脇下に装着される汗脇パットとされている、ようにしてある（請求項８対応）。また、前記パッド部が下着と体表面との間に装着される汗取りパットとされている、ようにしてある（請求項９対応）。このいずれの場合も、パットに付着された汗は酸化されて臭いの原因となるが、水素生成物質が汗中の水分と反応して発生される水素による抗酸化機能によって、臭いを低減することができる。
【００１７】
前記パッド部が全体的に薄く形成されると共に目と口の部分に対応した位置に開口部を有して、水分が吸収された状態で目と口を除く顔面のほぼ全面を覆うように装着されるフェイスマスクとされている、ようにしてある（請求項９対応）。この場合、フェイスマスクは、あらかじめ水（化粧水を含む）が散布されて顔面に貼着されて使用されるが、この際に、水素生成物質が水と反応して発生される水素によって、顔の肌細胞の抗酸化機能を高めることができる。また、口鼻の直近で使用されることから、水素（あるいは還元水素）の体内への取り込みという点でも好ましいものとなる。
【００１８】
前記水素生成物質が、ミネラル物質と混在されたものを焼成してなるセラミックからなる微粉末状とされている、ようにしてある（請求項１０対応）。この場合、水と水素生成物質とが反応して、水素ガスと共に還元水素が発生されることになる。そして、発生された還元水素は、上記ミネラルイオンに即座に吸着されて存在し続けることになる。これにより、還元水素水による抗酸化機能を得ることができる。また、セラミックの微粉末状としておくことにより、衛生用品への付着や含浸を容易に行うことができ、またシートへ練り込みことも容易である。
【００１９】
前記水素生成物質が、金属マグネシウムとされ、
前記ミネラル物質がカルシウムとされている、
ようにしてある（請求項１１対応）。この場合、水素生成物質およびミネラル物質について具体的な好ましいものが提供される。
【発明の効果】
【００２０】
本発明によれば、水素による抗酸化機能によって、衛生状態を向上させることができる。
【図面の簡単な説明】
【００２１】
【図１】本発明を救急絆創膏に適用した場合の例を示す斜視図。
【図２】図１のＸ２−Ｘ２線相当断面図。
【図３】図２の変形例を示すもので、図２に対応した断面図。
【図４】本発明をおむつに適用した場合の例を示す斜視図。
【図５】本発明を汗脇パットに適用した場合の例を示す平面図。
【図６】図５のＸ６−Ｘ６線相当断面図。
【図７】本発明を汗取りパットに適用した場合の例を示す斜視図。
【図８】図７のＸ８−Ｘ８線相当断面図。
【図９】図８の変形例を示すもので、図８に対応した断面図。
【図１０】本発明を生理用ナプキンに適用した例を示す斜視図。
【図１１】本発明を生理用タンポンに適用した例を示す側面図。
【図１２】図１１の変形例を示す要部側面断面図。
【図１３】図１１の別の変形例を示す要部側面断面図。
【図１４】本発明を口鼻マスクに適用した例を示す斜視図。
【図１５】本発明をフェイスマスクに適用した例を示す平面図。
【図１６】水素生成物質が練り込まれたシートの一例を示す要部断面図。
【図１７】水素生成物質が練り込まれたシートの別の例を示す要部断面図。
【発明を実施するための形態】
【００２２】
図１において、１は救急絆創膏である。救急絆創膏１は、既知のように、人体表面への粘着用となるテープ部２と、テープ部２における粘着面２ａ側に一体化されたパッド部３とを有する。パッド部３は、例えば不織布等により形成されて、吸水性を有する。このパッド部３に、微粉末状とされた後述する水素生成物質が含有されている。
【００２３】
パッド部３へ含有させるの水素生成物質は、例えば、水素生成物質（実施形態では金属マグネシウム）とミネラルイオンを発生させるためのミネラル物質（実施形態ではカルシウム）との粉状物を混練して焼成したセラミックを、微粉末状としたものとされている。より具体的には、上記セラミックの構成成分として、金属マグネシウムを３０ｍｇ、亜硫酸カルシウムを１００ｍｇ、その他成分を３０ｍｇとした混合割合でもって、球状のセラミックボールを形成し、このセラミックボールを細かく砕くことにより微粉末状の水素生成物質を得るようにしてある。
【００２４】
上記微粉末状の水素生成物質を、例えば、糖質等の人体に無害なバインダ溶液に溶かしたものを、パッド部３にスプレーすることにより付着させることができる。この場合、特にパッド部３の表面（人体に接触される面）付近にのみ水素生成物質を集中させて存在させる場合に好ましいものとなる。また、水素生成物質を含む溶液を注射形式でパッド部３の内部に含浸させることもでき、この場合は、パッド部３の全体積に渡って、つまりパッド部３の奥深くまで十分に水素生成物質を行き渡らせる上で好ましいものとなる。図２では、パッド部３に全体的に水素生成物質を含ませるようにした場合に、水素生成物質をドットでもって示してある。なお、水素生成物質を含む溶液中にパッド部３を浸す等、適宜の手法により水素生成物質を含有するパッド部３を構成することができる。
【００２５】
上記救急絆創膏１は、使用前には、減菌あるいは滅菌された包装袋内に収納されている。そして、使用時には、包装袋から取り出された救急絆創膏１が、そのパッド部３を人体の傷口に押し当てた状態で、テープ部１の粘着面２ａが体表面に貼り付けられる。傷口において好中菌やマクロファジーが活性酸素を放出してそれが過剰となって傷口が悪化（化膿）されるが、傷口からしみ出る体液注の水分と水素生成物質とが反応して、水素が発生される。そして、発生された水素によって活性酸素が水に変換されて、傷の悪化を防止あるいは低減されることになる。
【００２６】
図３は、パッド部３に対して間接的に水素生成物質を含ませる場合の例を示す。すなわち、テープ部１とパッド部３との間に、上記のように微粉末状とされた水素生成物質が練り込まれた通水性を有するシート４を配置するようにしてある。この場合、傷口からしみ出た体液がパッド部３を通過してシート４に接触したときに、水素が発生されることになる。
【００２７】
図４は、おむつ（おしめ）に本発明を適用した例を示す。すなわち、図４中、５はおむつカバーであり、このおむつカバー５の内面側に、吸水性（吸液性）を有するおむつとしてのパッド部６が配置される。パッド部６に対しても、前述した救急絆創膏１の場合と同様に、水素生成物質が付着されており、特に、排泄物に対応することを考慮して、多量の水素生成物質が含まれるようにしてある。
【００２８】
おむつ６は、おむつカバー５を利用して、お尻から股間に渡る大きな面積範囲を覆うようにして使用される。排泄物（小便、大便の少なくとも一方）がパッド部６に接触すると、排泄物中の水分がパッド部６に含まれる水素生成物質と反応して水素が発生される。発生された水素によ抗酸化機能によって、排泄物がアンモニアに分解される工程を阻害して、臭いを低減することができる。
【００２９】
図５、図６は、本発明を汗脇シートに適用した例を示す。すなわち、汗脇シート１０は、実施形態では、汗を吸い取るための薄いパッド部１１と、パッド部１１の背面に一体化された非通水性（汗を通過させない）の遮水シート１２と、遮水シート１２の背面に配設された剥離シート１３とを有する。パッド部１１と遮水シート１２とは接着剤等により分離しないようにされている。遮水シート１２の背面には、例えば両面テープ等によって被覆への粘着面が構成されている。パッド部１１には、前述したのと同様にして水素生成物質が付着されている。
【００３０】
使用に際しては、剥離シート１３をはがした後、パッド部１１が脇下の体表面側を向くようにして、遮水シート１２の背面にある粘着面を被服等に押し当てられる（被服への固定）。脇下から分泌される汗が、パッド部１１に吸着される。パッド部１１に付着された汗は酸化されて臭いの原因となるが、パッド部１１に含まれる水素生成物質が汗中の水分と反応して発生される水素による抗酸化機能によって、臭いを低減することができる。
【００３１】
図７、図８は、本発明を、汗取りパットに適用した例を示す。汗取りパット１５は、下着（例えばショーツ）と体表面との間に挟まれて使用されるもので、図７、図８に示す実施形態では、全体的に不織布等からなる薄い直方体状方形状のパッド部１６によって形成されている。そして、パッド部１６に、全体的に水素生成物質が含まれるようにされている。汗取りパット１６は、体表面のうち、特に、背中、腰等の大きな面積部分で汗のかきやすい部位に装着される。パッド部１６に付着された汗は酸化されて臭いの原因となるが、パッド部１６に含まれる水素生成物質が汗中の水分と反応して発生される水素による抗酸化機能によって、臭いを低減することができる。
【００３２】
図９は、汗取りパットの変形例を示すものであり、図７、図８に示す実施形態と同一構成要素には同一符号を付してある。本実施形態における汗取りパット１５Ｂは、そのパッド部１６内に、水素生成物質を練り込んだシート１７を配設したものとなっている。シート１７は、パッド部１６の厚さ方向において、適宜の位置に配設することができる（例えば、装着状態で体表面に近い側、遠い側あるいは真ん中等）。本実施形態でも、パッド部１６に吸収されて汗中の水分がシート１７に練り込まれた水素生成物質と反応して、水素を発生し、臭いを低減することになる。
【００３３】
図１０は、本発明を生理用ナプキンに適用した例を示す。すなわち、生理用ナプキン２０は、膣を覆って経血を吸収するためのパッド部２１と、パッド部２１の背面に一体化された非通水性（経血を通過させない）の遮蔽シート２２と、を有する。パッド部２１が水素生成物質を含むものとされている。使用によって、経血がパッド部２１に吸収される。経血は酸化されて臭いの原因となるが、パッド部２１に含まれる水素生成物質が経血中の水分と反応して発生される水素による抗酸化機能によって、臭いを防止あるいは低減することができる。
【００３４】
図１１は、本発明を生理用タンポン適用した例を示す。すなわち、生理用タンポン２５は、経血を吸収するための膣内に挿入されるパッド部２６と、パッド部２６から一体的に伸びる取出しひも２７と、を有する。パッド部２６が水素生成物質を含むものとされている。実施形態では、水素生成物質がパッド部２６の全体積範囲に渡って広く存在するようにされている。使用によって、経血がパッド部２６に吸収される。経血は酸化されて臭いの原因となるが、パッド部２６に含まれる水素生成物質が経血中の水分と反応して発生される水素による抗酸化機能によって、臭いを防止あるいは低減することができる。
【００３５】
図１２、図１３は、それぞれ、図１１の変形例を示すものであり、図１１に示す実施形態と同一構成要素には同一符号を付してある。すなわち、図１２に示す生理用タンポン２５Ｂは、パッド部２６内に、水素生成物質が練り込まれたシート２８を板状のまま配設してある。また、図１３に示す生理用タンポン２５Ｃは、パッド部２６内に、水素生成物質が練り込まれたシートを略円筒状にした筒状体２９として配設してある（筒状体２９による径方向の弾力性確保）。
【００３６】
図１４は、本発明を口鼻マスクに適用した例を示す。この口鼻マスク３０は、口鼻を覆うように大きな面積を有する不織布等からなる薄いシート状のパッド部３１と、パッド部３１の左右端部に取付けられた左右一対の耳掛け紐３２と、を有する。パッド部３１に、水素生成物質が含有されている。
【００３７】
パッド部３１で口鼻を覆うようにして使用された際に、唾液や呼気中に含まれる分泌物がパッド部３１に付着されて不潔となり、また臭いの原因ともなる。パッド部３１に含まれる水素生成物質が唾液中の水分や呼気中の水分と反応して発生される水素による抗酸化機能によって、衛生状態を向上させることができる（特に臭いが防止あるいは低減される）。また、口、鼻を覆うようにして使用されることから、吸気の際に水素（あるいは還元水素水）を体内に取り込んで、体内での抗酸化という点でも好ましいものとなる。
【００３８】
図１５は、本発明をフェイスマスクに適用した例を示す。図１５に示すフェイスマスク３５は、薄い不織布等の吸水性を有するシートからなるパッド部３６により構成されて、目と口に対応した部分に開口部３７を有する。使用に際しては、あらかじめ水や化粧水等の水分を含む液体を万遍なくパッド部３６に付着（含浸）させた後、顔面を覆うようにして使用される。
【００３９】
パッド部３６にあらかじめ含浸された水分、あるいは顔面から分泌される汗中の水分が、パッド部３６に含まれる水素生成物質と反応して水素が発生されて、顔の肌細胞の抗酸化機能を高めることができる。また、口鼻の直近で使用されることから、水素（あるいは還元水素）の体内への取り込みという点でも好ましいものとなる。
【００４０】
図１６は、水素生成物質が  練り込まれたシートの一例を示すものである。シート４０は、その内面側（人体への装着時に体表面側となる側）から外面側に向けて順次、第１層シート４１、第２層シート４２、第３層シート４３の３層のシート材を重合することにより構成されている。第１層シート４１は、シーラント基材となるもので、例えばＰＰ（ポリプロピレン）、ＰＥ（ポリエチレン）あるいはＰＥＴ（ポリエチレンテレフタレート）からなる。また、第２層シート４２は、バリア基材となるもので、例えばＡＬ（アルミ泊）により形成されている。第３層シート４３は、主基材で、例えばＰＥＴやＮＹ（ナイロン）で形成されている。そして、微粉末状とされた水素生成物質が、第１層シート４１に練り込まれている。
【００４１】
第１層シート４１側を体表面に向けて装着された際に、人体からの分泌物や排泄物中の水分が、第１層シート４１に含まれる水素生成物質と反応して、水素が生成されることになる。第２層シート４２や第３層シート４３による遮水性により、分泌物や排泄物の外部への漏れ防止を図ることができ、例えば、図３に示すシート４や、図４に示すパッド部６の背面側に配設して使用したり、図６の遮水シート１６として使用したり、図１０のパッド部２１の背面に使用する等の上で好ましいものとなる。
【００４２】
図１７は、図１６の変形例を示すものである。すなわち、図１７の場合は、第１層シート４１を、内側シート４１Ａと外側シート４１Ｂとの２層構造としてある。そして、水素生成物質が外側シート４１Ｂに練り込まれている。さらに、内側シート４１Ａは、水（液体の水）は通過させないが、水蒸気は通過できる微細孔を有するものとなっている（水蒸気のみを通過させるシートはフィルムシートとして市販されている）。これにより、発生される水素ガスの単位時間あたりの生成量をコントロールする上で好ましいものとなる（ゆっくりとした生成に好適）。
【００４３】
図１５、図１７に示す水素生成物質が練り込まれたシート４０は、通水性が不要な場合は、例えば通水性を有する第１層シート４１（４１Ａと４１Ｂ）のみにより構成する等、シートの積層構造は適宜変更できる。水素生成物質が練り込まれたシートが遮水性を有しない形態（吸水性を有する形態）は、例えば、図３のシート４として、図４に示すパッド部６背面への配設用として、図６のパッド部１１と遮水シート１２との間への配設用として、図９のシート１７用として、図１０のパッド部２１の背面への配設用として、図１２、のシート２８用として、図１３の筒状体２９の構成用として使用することができる。
【００４４】
以上実施形態について説明したが、本発明は、実施形態に限定されるものではなく、特許請求の範囲の記載された範囲において適宜の変更が可能である。水素生成物質としては、金属マグネシウムに限らず、例えばニッケル触媒、純粋カルシウム（金属カルシウム）、チタン、酸化チタン、イオン交換樹脂等、適宜のものを利用することができる。また、ミネラル物質としては、例えばナトリウムやカリウム等、適宜のものを利用することができる。水素生成物質およびミネラル物質をセラミックとすることなく、例えば粉状、粒状等それぞれ単独で存在した状態でパッド部（あるいはシート）に付着させる（含ませる）ようにしてもよい。パッド部（あるいはシート）には、水素生成物質のみを含ませるようにして、ミネラル成分を含まないようにすることもできる。
【００４５】
パッド部へ水素生成物質を含ませると共に、水素生成物質を含むパッド部の内部あるいは背面に水素生成物質が練り込まれたシートを配設してもよい。特に、パッド部の背面に水素生成物質が練り込まれたシートを配設した場合は、このシートを利用して遮水性を確保したり、あるいはパッド部に含まれる水素生成物質とシートに練り込まれた水素生成物質との両方でもって多量の水素生成物質を確保する上で好ましいものとなる。パッド部を複数のパッド構成材を積層してなる積層構造として構成したとき、その一部のパッド構成材のみに水素生成物質を含ませるようにしてもよい。水素生成物質を含むパッド部は、例えば、表パッドと裏パッドとにより周囲が閉じられた袋状物を形成して、この袋状物内に水素生成物質を収納する等、適宜の手法（構造）により構成することができる。勿論、本発明の目的は、明記されたものに限らず、実質的に好ましいあるいは利点として表現されたものを提供することをも暗黙的に含むものであり、特に、使い捨て用となる衛生用品に適用して好適である。
【産業上の利用可能性】
【００４６】
本発明は、衛生用品に抗酸化機能をもたせて、臭いの低減等の上で好ましいものとなる。
【符号の説明】
【００４７】
１：救急絆創膏
２：テープ部
２ａ：粘着面
３：パッド部
４：シート（水素生成物質練り込み）
５：おむつカバー
６：パッド部（おむつ）
１０：汗脇シート
１１：パッド部
１２：遮水シート
１３：剥離シート
１５：汗取りパット
１５Ｂ：汗取りパット
１６：パッド部
１７：シート（水素生成物質練り込み）
２０：生理用ナプキン
２１：パッド部
２５：生理用タンポン
２５Ｂ：生理用タンポン
２５Ｃ：生理用タンポン
２６：パッド部
２８：シート（水素生成物質練り込み）
２９：筒状体（水素生成物質練り込み）
３０：口鼻マスク
３１：パッド部
３２：耳掛けひも
３５：フェイスマスク
３６：パッド部
３７：開口部
４０：シート材
４１：第１層シート
４１Ａ：内側シート
４１Ｂ：外側シート
４２：第２層シート
４３：第３層シート
【図１】
2015167840.tif 000003
【図２】
2015167840.tif 000004
【図３】
2015167840.tif 000005
【図４】
2015167840.tif 000006
【図５】
2015167840.tif 000007
【図６】
2015167840.tif 000008
【図７】
2015167840.tif 000009
【図８】
2015167840.tif 000010
【図９】
2015167840.tif 000011
【図１０】
2015167840.tif 000012
【図１１】
2015167840.tif 000013
【図１２】
2015167840.tif 000014
【図１３】
2015167840.tif 000015
【図１４】
2015167840.tif 000016
【図１５】
2015167840.tif 000017
【図１６】
2015167840.tif 000018
【図１７】
2015167840.tif 000019